(57)【要約】【課題】折り畳みが可能であり、かつ省スペースに収納できる工具袋を提供する。【解決手段】本考案は、硬質素材の持ち手（１０）と袋本体（２０）を有す折り畳み式工具袋である。袋本体は上向きの開口部がある収納スペース（２５）を有し、工具を収納できるようになっており、また側面板（２４、２４）一対を有している。側面板はそれぞれ中央に平板部（２４１）があり、硬質素材の持ち手の両サイドに固定されており、またＶ字型折り畳み部分（２４２、２４２）一対は、中央平板部の両サイドにあり、それぞれのＶ字型折り畳み部分が展開した状態および収縮した状態になる。Ｖ字型折り畳み部分を展開した状態から折り畳んだ状態にすると、袋本体が容積の小さい折り畳まれた形状になる。【選択図】図２
0003133854.tif 000002
【実用新案登録請求の範囲】
【請求項１】
折り畳み式工具袋において、
両サイドのある硬質素材の持ち手および
柔らかい底面を１枚と前面板を１枚、後面板を１枚、側面板を一対有し、かつ上向きの開口部がある収納スペースを形成し、工具を収納できるようになっている袋本体からなり、このうち前記それぞれの側面板は、
[a]硬質素材の持ち手の両サイドに固定されている中央平板部と、
[b]前記中央平板部の両サイドにあるＶ字型折り畳み部分一対を有しており、前記Ｖ字型折り畳み部分は両サイドそれぞれが展開した状態および収縮した状態になり、
これにより、Ｖ字型折り畳み部分を展開した状態から折り畳んだ状態にすると、袋本体が容積の小さい折り畳まれた形状になることを特徴とする、折り畳み式工具袋。
【請求項２】
一定の幅を持つ支え板一対を有しており、前記支え板は前記側面板の隣にあり、ちょうどＶ字型の折り畳み部分を展開した状態にできるようになっていることを特徴とする、請求項１に記載の折り畳み式工具袋。
【請求項３】
前記硬質素材の持ち手は、水平な段を１箇所、傾斜した段を２箇所、垂直な段を２箇所有しており、前記垂直な段２箇所は中央平板部に固定されており、また水平な段は柔らかい素材の持ち手部分を有していることを特徴とする、請求項１に記載の折り畳み式工具袋。
【考案の詳細な説明】
【技術分野】
【０００１】
本考案は、折り畳み式工具袋に係り、特に展開した状態から折り畳んで収縮した状態にすることが可能であり、かつ省スペースに収納でき、手提げに便利であるという利点を有す、折り畳み式工具袋に関するものである。
【背景技術】
【０００２】
図１の概略図に示すように、従来の工具袋は、
硬質素材の袋本体８０、およびフレキシブル・ベルト９０を有し、前記硬質素材の袋本体８０にはフックリング８１を一対取り付けており、フレキシブル・ベルト９０を繋げやすくしていることにより、肩に掛けることはできるものの、手で提げる場合には前記フレキシブル・ベルト９０が揺れるために不便が生じた。
さらに、前記硬質素材の袋本体８０は大量の工具を収納できるものの、非使用時に容積を縮小することができないため、収納時に不便が生じた。
このため、上記の欠点を解決するための新技術の研究・開発が必要であった。
【考案の開示】
【考案が解決しようとする課題】
【０００３】
本考案の主な目的は、折り畳みが可能であり、かつ省スペースに収納できる工具袋を提供することにある。
【０００４】
本考案の前記に次ぐ目的は、使用時に手提げが便利な折り畳み式工具袋を提供することにある。
【考案の効果】
【０００５】
以下、本考案の利点および効果について説明する。
【０００６】
省スペースに収納できるという効果を有する。
本考案のＶ字型折り畳み部分を展開した状態から収縮した状態にすると、袋本体が容積の小さい折り畳まれた形状となるため、省スペースで収納できるという効果を有する。
【０００７】
手提げが便利であるという効果を有する。
本考案は工具を収納する時(図２の状態を参照）、本考案は硬質素材の持ち手を有しているため、使用者が本考案の袋本体を運ぶ際に、硬質素材の持ち手を握りやすくしており、また揺れないため工具の収納状態に影響が生じないという効果を有する。
【０００８】
以上、本考案について効果のある実施例を詳細について説明したものであるが、実施例に基づくいかなる簡単な修正や変更についても、本考案の技術思想および範疇から外れるものではない。
【考案を実施するための最良の形態】
【０００９】
以下、本考案の実施の形態を添付図面に基づいて詳細に説明する。
【００１０】
図２および図３に示すように、本考案の折り畳み式工具袋は、硬質素材の持ち手１０、および袋本体２０を含む。
【００１１】
前記硬質素材の持ち手１０は、両サイド１０Ａおよび１０Ｂを有し、実際の使用時においては、前記硬質素材の持ち手１０はスチール製パイプあるいは金属製パイプとする。
【００１２】
前記袋本体２０は、柔らかい素材の底面２１を１枚、および前面板２２を１枚、後面板２３を１枚、側面板２４１を一対有し、かつ上向きの開口部のある収納スペース２５を形成し、工具の収納に用いられる。このうち、それぞれの側面板２４については次のとおりである。
【００１３】
(ａ)中央平板部２４１が、硬質素材の持ち手１０の両サイド１０Ａ、および１０Ｂに固定されている。
【００１４】
(ｂ)Ｖ字型の折り畳み部分２４２の一対は、中央平板部２４１の両サイドにあり、それぞれＶ字型の折り畳み部分２４２は、展開した状態Ｐ１(図４に示すように、展開した時の幅はＷ２となる)および、収縮した状態Ｐ２(図５に示すように、収縮した時の幅はＷ３となり、収縮した時の幅Ｗ３＜展開した時の幅Ｗ２である）となる。
これにより、Ｖ字型折り畳み部分２４２が展開した状態Ｐ１から収縮した状態Ｐ２になる際に、袋本体２０が容積の小さい折り畳まれた形状となる。
【００１５】
もとより、次の内容も含まれる。
支え板３０の一対はそれぞれ幅がＷ１であり、側面板２４の隣にあり、ちょうどＶ字型折り畳み部分２４が、図６に示すように展開したＰ１の状態になる。
これにより、本考案をより効果的に支えて展開させており、また変形しにくくしている。
【００１６】
本考案は、収納時に支え板３０を抜き取るのみで、Ｖ字型折り畳み部分２４２が小さい容積の形状に折り畳みできるため、使用時に非常に便利である。
【００１７】
このほか、本考案の硬質素材の持ち手１０は、水平な段１１を１箇所、および傾斜段１２を２箇所、垂直段１３を２箇所有し、垂直な段１３の２箇所は両サイド１０Ａおよび１０Ｂにあり、中央平板部２４１の上に固定されており、さらに前記水平な段１１の上には柔らかい素材の持ち手１１１を有している。
【図面の簡単な説明】
【００１８】
【図１】従来の工具袋を示す概略図である。
【図２】本考案の折り畳みをしていない状態を示す立体図である。
【図３】本考案の折り畳みをした状態を示す立体図である。
【図４】本考案の折り畳みしていない状態の一部を示す概略図である。
【図５】本考案の折り畳みをした状態の一部を示す概略図である。
【図６】本考案に支え板を取り付けた状態を示す概略図である。
【符号の説明】
【００１９】
１０            硬質素材の持ち手
１０Ａ、１０Ｂ  両サイド
１１            水平な段
１１１          柔らかい素材の持ち手部分
１２            傾斜した段
１３            垂直な段
２０            袋本体
２１            柔らかい素材の底面
２２            前面板
２３            後面板
２４            側面板
２４１          中央平板部
２４２          Ｖ字型折り畳み部分
２５            収納スペース
３０            支え板
８０            硬質素材の袋本体
８１            フックリング
９０            フレキシブル・ベルト
Ｗ１            支え板の幅
Ｗ２            展開した時の幅
Ｗ３            折り畳んだ時の幅
Ｐ１            展開した状態
Ｐ２            折り畳んだ状態
【図１】
0003133854.tif 000003
【図２】
0003133854.tif 000004
【図３】
0003133854.tif 000005
【図４】
0003133854.tif 000006
【図５】
0003133854.tif 000007
【図６】
0003133854.tif 000008